(57)【特許請求の範囲】
【請求項１】
雄端子金具と、
前記雄端子金具が後方から取り付けられるハウジングと、
前記ハウジングが後方から取り付けられる筒状のフレームとを備え、
前記雄端子金具は、後端部に電線が接続される端子本体と、前記端子本体から前方に突出するタブとを有し、
前記ハウジングは、前記端子本体を収容する端子収容部と、前記端子収容部内に収容された前記端子本体に対し抜止め状態に係止する弾性撓み可能なランスと、前記端子収容部から前方へ突出して前記タブを保護する保護部とを有し、
前記フレームは、前記端子収容部を包囲する後側筒状部と、前記保護部を包囲する前側筒状部と、前方から前記端子収容部内に嵌入して前記ランスが前記雄端子金具から解離する方向へ弾性撓みするのを規制する規制部とを有しているコネクタにおいて、
前記保護部は、全周に亘って連続する筒状をなしており、
前記フレームには、前記前側筒状部の前端部から後方へ延出する形態であって、前記前側筒状部との間に前記保護部の進入を許容する進入空間を空けた形態の支持部が形成され、
前記支持部に前記規制部が形成されていることを特徴とするコネクタ。
【請求項２】
前記支持部は、前側筒状部の前端部から後方へ延出する延出部と、前記延出部の後端部から前記端子収容部の前端面と対向するように延出する板状部とを備えて構成され、
前記規制部が前記板状部から突出されているとともに、
前記板状部には、前記タブを貫通させることで前記タブを位置決めする位置決め孔が形成されていることを特徴とする請求項１記載のコネクタ。
【請求項３】
前記延出部は、前記保護部の内周に沿った板状をなすとともに、
前記延出部の前端部は、前記保護部の前端縁を前方から覆う形態とされていることを特徴とする請求項２記載のコネクタ。
【請求項４】
前記支持部が、前記保護部の内周面に対して摺接可能とされていることを特徴とする請求項１ないし請求項３のいずれか１項に記載のコネクタ。
【請求項５】
前記支持部には、前記前側筒状部内に嵌入される相手側コネクタの外周と摺接可能なガイド面が形成されていることを特徴とする請求項１ないし請求項４のいずれか１項に記載のコネクタ。
【発明の詳細な説明】
【技術分野】
【０００１】
本発明は、コネクタに関するものである。
【背景技術】
【０００２】
特許文献１には、後方から雄端子金具をハウジングに収容し、そのハウジングを後方から筒状のフレームに収容した形態のコネクタが開示されている。  
雄端子金具は、後端部に電線が接続される端子本体と、端子本体から前方に突出するタブとを有する。ハウジングは、収容された端子本体を弾性撓み可能なランスの係止作用により抜止め状態で保持する端子収容部と、端子収容部から前方へ突出してタブを保護する保護部とを備えている。
【０００３】
フレームは、端子収容部を収容するための後側筒状部と、保護部を収容するための前側筒状部と、前方から端子収容部内に嵌入される規制部とを備えている。この規制部は、ランスが雄端子金具から解離する方向へ弾性撓みするのを規制するようになっており、この規制部により雄端子金具か確実に抜止めされるようになっている。
【０００４】
フレーム内には、前側筒状部と後側筒状部とを仕切る壁状の支持部が形成され、規制部は、この支持部から後方へ突出した形態となっている。また、ハウジングの保護部は、左右からタブを挟むように配置された一対の板状部からなり、支持部には、この一対の板状部を貫通させるための逃がし孔が形成されている。
【特許文献１】実開昭６３−１０２１８３号公報
【発明の開示】
【発明が解決しようとする課題】
【０００５】
上記従来のコネクタでは、規制部の形成母体である支持部が、前側筒状部と後側筒状部とを仕切るような壁状をなしている。一方、保護部は、支持部を貫通してそれよりも前方の前側筒状部内に収容されるようになっているのであるが、支持部をフレームに固定しておくためには、支持部の外周の一部がフレームの内周に繋がっていなければならない。そのため、保護部は、全周に亘ってタブを包囲する筒状の形態にすることができず、ハウジングをフレームから外している状態において、タブに対して他部材が干渉する虞があった。  
本発明は上記のような事情に基づいて完成されたものであって、タブを他部材の干渉から確実に保護できるようにすることを目的とする。
【課題を解決するための手段】
【０００６】
上記の目的を達成するための手段として、請求項１の発明は、雄端子金具と、前記雄端子金具が後方から取り付けられるハウジングと、前記ハウジングが後方から取り付けられる筒状のフレームとを備え、前記雄端子金具は、後端部に電線が接続される端子本体と、前記端子本体から前方に突出するタブとを有し、前記ハウジングは、前記端子本体を収容する端子収容部と、前記端子収容部内に収容された前記端子本体に対し抜止め状態に係止する弾性撓み可能なランスと、前記端子収容部から前方へ突出して前記タブを保護する保護部とを有し、前記フレームは、前記端子収容部を包囲する後側筒状部と、前記保護部を包囲する前側筒状部と、前方から前記端子収容部内に嵌入して前記ランスが前記雄端子金具から解離する方向へ弾性撓みするのを規制する規制部とを有しているコネクタにおいて、前記保護部は、全周に亘って連続する筒状をなしており、前記フレームには、前記前側筒状部の前端部から後方へ延出する形態であって、前記前側筒状部との間に前記保護部の進入を許容する進入空間を空けた形態の支持部が形成され、前記支持部に前記規制部が形成されているところに特徴を有する。
【０００７】
請求項２の発明は、請求項１に記載のものにおいて、前記支持部は、前側筒状部の前端部から後方へ延出する延出部と、前記延出部の後端部から前記端子収容部の前端面と対向するように延出する板状部とを備えて構成され、前記規制部が前記板状部から突出されているとともに、前記板状部には、前記タブを貫通させることで前記タブを位置決めする位置決め孔が形成されているところに特徴を有する。
【０００８】
請求項３の発明は、請求項２に記載のものにおいて、前記延出部は、前記保護部の内周に沿った板状をなすとともに、前記延出部の前端部は、前記保護部の前端縁を前方から覆う形態とされているところに特徴を有する。
【０００９】
請求項４の発明は、請求項１ないし請求項３のいずれかに記載のものにおいて、前記支持部が、前記保護部の内周面に対して摺接可能とされているところに特徴を有する。
【００１０】
請求項５の発明は、請求項１ないし請求項４のいずれかに記載のものにおいて、前記支持部には、前記前側筒状部内に嵌入される相手側コネクタの外周と摺接可能なガイド面が形成されているところに特徴を有する。
【発明の効果】
【００１１】
＜請求項１の発明＞
規制部の形成母体である支持部を、前側筒状部の前端部から後方へ延出する形態として、この支持部と前側筒状部との間に保護部に進入を許容する進入空間を確保したので、保護部を全周に亘って連続する筒状の形態とすることができた。この保護部は、タブを全方位から覆うので、タブを他部材の干渉から確実に保護することができる。
【００１２】
＜請求項２の発明＞
支持部の板状部が、タブを位置決めするためのアライメントプレートとして機能するので、支持部とは別に専用のアライメントプレートを設ける必要がなく、部品点数の削減が可能である。
【００１３】
＜請求項３の発明＞
延出部により、保護部の前端縁を他部材の干渉から保護することができる。
【００１４】
＜請求項４の発明＞
ハウジングを後方からフレームに組み付けるときには、保護部の内周面が支持部に摺接することにより、ハウジングは、フレームに対し組付方向と交差する方向へのガタ付きを規制される。
【００１５】
＜請求項５の発明＞
前側筒状部内に相手側コネクタを嵌合する際には、相手側コネクタの外周とガイド面とが摺接することにより、相手側コネクタがフレームに対して嵌合方向と交差する方向へのガタ付きが規制される。
【発明を実施するための最良の形態】
【００１６】
＜実施形態１＞
以下、本発明を具体化した実施形態１を図１乃至図１４を参照して説明する。本実施形態の雄コネクタＭの嵌合対象である雌コネクタＦは、ブロック状をなすコネクタ本体６０と、コネクタ本体６０の上面に設けたロックアーム６１とを有しており、コネクタ本体６０内には、周知形態の複数の雌端子金具（図示せず）が収容されている。この雌コネクタＦは、自動車のボディ（図示せず）に設けられている。
【００１７】
雄コネクタＭは、合成樹脂製のフレーム１０（図６〜図１１を参照）と、合成樹脂製のハウジング４０（図１２〜図１４を参照）と、金属製の複数の雄端子金具５０とを備えて構成されている。この雄コネクタＭは、自動車のドアミラー（図示せず）に設けられ、ドアミラーをボディに組み付ける際に、上記雌コネクタＦと嵌合されるようになっている。
【００１８】
フレーム１０は、全体として四隅が略四半円弧に丸められた角筒状をなす。フレーム１０の略前半部分は、前方に開放された形態であって、前方から雌コネクタＦを嵌入させるための前側筒状部１１となっている。フレーム１０の略後半部分は、後方に開放された形態であって、後方からハウジング４０が嵌入される後側筒状部１２となっている。
【００１９】
フレーム１０の左右両外側面には、板状に張り出す一対の取付部１３が形成され、取付部１３には前後方向に貫通するボルト孔１４が形成されている。フレーム１０は、ボルト孔１４に通したボルト（図示せず）によりドアミラーに固定されている。前側筒状部１１の左右両側壁には、夫々、前側筒状部１１の前端縁から後方へ切欠した上下一対のスリットが形成され、このスリットの間の部分が、左右方向において外側方へ弾性撓み可能な係止アーム１５となっている。係止アーム１５の前端部には、内側へ突出する係止突起１５ａが形成されている。
【００２０】
フレーム１０の内部には、前側筒状部１１の前端縁から後方へ延出する支持部１６が一体に形成されている。支持部１６は、方形をなす板状部１７と、板状部１７をフレーム１０に支持させるための左右一対のアーム状延出部２１と、板状部１７をフレーム１０に支持させるための板状延出部２５とを備えて構成されている。
【００２１】
板状部１７は、その板厚方向を前後方向（フレーム１０に対するハウジング４０の組み付け方向と平行な方向であり、前後方向においては、雄コネクタＭに対する雌コネクタＦの組み付け方向と平行な方向）に向けて前側筒状部１１と後側筒状部１２の境界となる位置に配置されている。また、上下及び左右方向においては、板状部１７は、その外周縁の全周に亘ってフレーム１０の内周面との間に間隔を空けるように位置している。つまり、板状部１７は、フレーム１０に対して直接に繋がってはおらず、中に浮いたような状態でアーム状延出部２１と板状延出部２５とを介してフレーム１０の内周に繋がっている。このアーム状延出部２１と板状延出部２５は、互いに異なる形態である。
【００２２】
板状部１７には、前後方向に貫通する複数の位置決め孔１８が、ハウジング４０のキャビティ４４と対応するように上下左右に整列して形成されている。この位置決め孔１８は、雄端子金具５０のタブ５２を貫通させることにより、上下及び左右方向においてタブ５２を位置決めするためのアライメントプレートとして機能するようになっている。
【００２３】
板状部１７には、上下一対の規制部１９，２０が形成されている。上側の規制部１９は、水平な板状をなし、板状部１７の上端縁に近い位置から板状部１７のほぼ全幅に亘り後方へ片持ち状に延出した形態である。上側の規制部１９の上面は、板状部１７の上縁に対して段差状に低くなっている。下側の規制部２０は、上側の規制部１９と同じく水平な板状をなし、板状部１７の下端縁から板状部１７のほぼ全幅に亘り後方へ片持ち状に延出した形態である。この両規制部２０は、ハウジング４０のランス４５が雄端子金具５０から解離する方向へ弾性撓みするのを規制するためのリテーナとして機能するようになっている。
【００２４】
一対のアーム状延出部２１は、前後方向に細長く延びた形態である。アーム状延出部２１の前端部は、その上方へ突出させた突起部２１ａにおいて前側筒状部１１の前端における上縁部に連なっており、アーム状延出部２１の後端部は、板状部１７の前面における上縁よりも少し下の位置に連なっている。左右方向においては、アーム状延出部２１は板状部１７の左右両側縁に近い位置に配置されている。また、上下方向においては、上側の規制部１９を含む高さ領域に配置されている。
【００２５】
アーム状延出部２１の下面は、前後方向（雄コネクタＭに対する雌コネクタＦの嵌合方向と平行な方向）に直線状に延びる第１ガイド面２２となっている。一方、アーム状延出部２１の上面は、前後方向（フレーム１０に対するハウジング４０の組み付け方向と平行方向）に直線状に延びる第１摺接面２３となっている。このアーム状延出部２１の上面（第１摺接面２３）と前側筒状部１１の内面との間には、ハウジング４０の保護部４２を進入させるための進入空間２４が空いている。
【００２６】
板状延出部２５は、水平な（板状部１７に対して直角な）方形の平板状をなす。板状延出部２５の前端部は、その下方へリブ状に突出させた連結部２５ａにおいて前側筒状部１１の前端における下縁部に連なっており、連結部２５ａは板状延出部２５の全幅に亘っている。一方、板状延出部２５の後端部は、板状部１７の前面における下縁部に連なっている。板状延出部２５は板状部１７よりも少し幅狭であり、板状部１７の左右両側縁部は板状延出部２５の左右両側縁よりも側方へ張り出している。また、板状延出部２５の下面（後述する第２摺接面２７）と、板状部１７の下面と、下側の規制部２０の下面は、互いに面一状に連続している。
【００２７】
板状延出部２５の上面は、前後方向（雄コネクタＭに対する雌コネクタＦの嵌合方向と平行な方向）に平面状に延びる第２ガイド面２６となっている。一方、板状延出部２５の下面は、前後方向（フレーム１０に対するハウジング４０の組み付け方向と平行方向）に平面状に延びる第２摺接面２７となっている。この板状延出部２５の上面（第２摺接面２７）と前側筒状部１１の内面との間には、ハウジング４０の保護部４２を進入させるためのスリット状の進入空間２８が空いている。
【００２８】
また、前側筒状部１１内には、左右一対のアーム状補強部２９が形成されている。一対のアーム状補強部２９は、アーム状延出部２１と同様に、全体として前後方向に細長く、左右方向において一対のアーム状延出部２１の間に配置されている。アーム状補強部２９の前端部は、その上向きの立上り部２９ａにおいて前側筒状部１１の上面壁における前端縁に繋がっており、アーム状補強部２９の後端部は、板状部１７の前面における上縁部よりも少し下方の位置に繋がっている。アーム状補強部２９の上面（前側筒状部１１の内面と対向する面）はアーム状延出部２１の上面（第１摺接面２３）よりも低い位置（保持部の進入経路から遠い位置）にある。
【００２９】
前側筒状部１１の上面壁には、その前端縁から下方へ突出する形態のロック突起３０が形成されている。ロック突起３０は、左右方向において前側筒状部１１の中央に配置されている。雌コネクタＦと雄コネクタＭとが正規の嵌合状態になると、ロック突起３０と雌コネクタＦのロックアーム６１とが係止し、この係止作用によって両コネクタＦ，Ｍが離脱規制された状態にロックされるようになっている。
【００３０】
ハウジング４０は、ブロック状をなす端子収容部４１と、端子収容部４１から前方へ突出する角筒状の保護部４２とを一体に形成したものである。ハウジング４０の左右両外側面には、ハウジング４０の後端縁から前端部に近い位置まで切欠した形態であって、前後方向に細長い溝状の切欠部が形成され、この切欠部の前端が係止部４３となっている。
【００３１】
端子収容部４１内には、端子収容部４１を前後方向に貫通する複数のキャビティ４４が上下左右に整列して形成されている。キャビティ４４の内壁には、前方へ片持ち状に延出する形態であって、上下方向（キャビティ４４に対する雄端子金具５０の挿入方向と交差する方向）へ弾性撓み可能なランス４５が形成されている。また、端子収容部４１におけるランス４５を挟んでキャビティ４４と反対側には、端子収容部４１の前端面に開放された形態であって、ランス４５が雄端子金具５０から解離する方向への弾性撓みを許容するための撓み空間４６が形成されている。
【００３２】
保護部４２は、端子収容部４１の外周縁に沿って概ね角筒状をなすように突出しており、上面壁と左右両側面壁と下面壁とを全周に亘って連続させた形態である。保護部４２の上面壁には、その前端縁を切欠した形態の第１凹部４７が形成されている。第１凹部４７を形成したことにより、保護部４２は、一対のアーム状延出部２１の前端部（突起部２１ａ）、一対のアーム状補強部２９の前端部（立上り部２９ａ）及びロック突起３０との干渉を回避できるようになっている。一方、保護部４２の下面壁にも、その前端縁部を切欠した形態の第２凹部４８が形成され、第２凹部４８を形成したことにより、保護部４２は、板状延出部２５の前端部（連結部２５ａ）との干渉を回避できるようになっている。
【００３３】
雄端子金具５０は、全体として前後方向に細長く、端子本体５１と、端子本体５１から前方へ突出するタブ５２とを有する周知の形態の端子である。端子本体５１の後端部には電線５３が圧着により接続されている。また、端子本体５１の外面には、ランス４５の係止させるための抜止め突起５４が形成されている。
【００３４】
かかる雄端子金具５０は、後方からキャビティ４４内に挿入されている。挿入の過程では、ランス４５が雄端子金具５０との干渉により撓み空間４６側へ進出するように弾性撓みする。雄端子金具５０が正規の挿入位置に到達すると、ランス４５が弾性復帰して抜止め突起５４に対して後方から係止し、この係止作用により雄端子金具５０が抜止め状態に保持される。雄端子金具５０が正規挿入されている状態では、タブ５２が、端子収容部４１の前端面から前方へ突出して保護部４２により包囲される。尚、雄端子金具５０が正規挿入位置に到達しない半挿入位置で留め置かれている場合には、ランス４５は弾性撓みしたままで撓み空間４６内に進出したままとなる。
【００３５】
全ての雄端子金具５０の挿入が完了したハウジング４０は、後方からフレーム１０内に嵌入するように組み付けられる。組付けの過程では、保護部４２が前側筒状部１１の内周に摺接するのであるが、同時に、第１摺接面２３及び第２摺接面２７にも摺接するので、保護部４２の姿勢が安定する。また、ハウジング４０の組付けが進むのに伴い、板状部１７が保護部４２の内部に相対的に進入し、更には上下両規制部１９，２０が端子収容部４１内に進入して撓み空間４６内に嵌合される。また、保護部４２の外側面が係止アーム１５の係止突起１５ａと干渉することにより、係止アーム１５が外側へ弾性撓みする。
【００３６】
そして、ハウジング４０が正規の組付位置に達すると、端子収容部４１の前端面が板状部１７の後面に当接するとともに、保護部４２の前端縁が板状延出部２５の連結部２５ａに対して後方から当接し、これらの当接作用により、ハウジング４０が前止まりされる。また、フレーム１０の係止アーム１５が弾性復帰して、その係止突起１５ａがハウジング４０の係止部４３に対して後方から係止し、この係止作用によりハウジング４０が後方への移動（フレーム１０からの離脱）を規制された状態にロックされる。
【００３７】
ハウジング４０が正しく組み付けられた状態では、規制部１９，２０が撓み空間４６内に進入しているので、ランス４５は雄端子金具５０から解離する方向への弾性撓みが規制され、この規制作用により、雄端子金具５０は確実に正規挿入状態に保持される。また、半挿入の雄端子金具５０が存在している状態のままでハウジング４０をフレーム１０に組み付けた場合には、半挿入の雄端子金具５０と干渉しているランス４５が撓み空間４６内に進出しているので、ハウジング４０の組付けの途中で、その撓み空間４６内のランス４５に対して規制部１９，２０が突き当たり、それ以上のハウジング４０の組み付け動作が規制される。これにより、半挿入状態の雄端子金具５０が存在している、ということを検知できる。
【００３８】
本実施形態では、規制部１９，２０の形成母体である支持部１６を、前側筒状部１１の前端部から後方へ延出する形態として、この支持部１６と前側筒状部１１との間に保護部４２に進入を許容する進入空間２４，２８を確保したので、保護部４２を全周に亘って連続する筒状の形態とすることが実現できた。この保護部４２は、タブ５２を全方位から覆うので、ハウジング４０をフレーム１０から外した状態（ハウジング４０をフレーム１０に組み付ける前の状態）においても、タブ５２を他部材の干渉から確実に保護することができる。
【００３９】
また、支持部１６を構成している板状部１７が、タブ５２を上下左右方向において位置決めするためのアライメントプレートとして機能するので、支持部１６とは別に専用のアライメントプレートを設ける必要がなく、部品点数の削減が実現されている。
【００４０】
また、板状延出部２５は、保護部４２の内周に沿った板状をなすとともに、板状延出部２５の前端部の連結部２５ａは、保護部４２の前端縁を前方から覆う形態とされているので、保護部４２の前端縁を他部材の干渉から保護することができる。
【００４１】
また、支持部１６を構成しているアーム状延出部２１と板状延出部２５には、保護部４２の内周面に対して摺接可能な第１摺接面２３と第２摺接面２７を形成しているので、ハウジング４０をフレーム１０に組み付けるときには、保護部４２の内周面が第１摺接面２３と第２摺接面２７に摺接することにより、ハウジング４０は、フレーム１０に対し組付方向と交差する方向へのガタ付きを規制され、組付け時の作業性がよい。
【００４２】
また、上記のようにフレーム１０にハウジング４０を組み付けると、雄コネクタＭが完成する。そして、この雄コネクタＭの前側筒状部１１に対しては、前方から雌コネクタＦが嵌合される。嵌合に際しては、雌コネクタＦの外面が、上下方向においてはアーム状延出部２１と板状延出部２５に形成されている第１ガイド面２２と第２ガイド面２６とに摺接するとともに、前側筒状部１１の左右両側壁の内面に摺接し、これらの摺接作用により、雌コネクタＦがフレーム１０に対して嵌合方向と交差する方向へのガタ付きが規制され、円滑な嵌合動作が行われる。両コネクタＦ，Ｍが正規嵌合されると、ロックアーム６１とロック突起３０との係止作用により、両コネクタＦ，Ｍが嵌合状態にロックされる。
【００４３】
＜他の実施形態＞
本発明は上記記述及び図面によって説明した実施形態に限定されるものではなく、例えば次のような実施態様も本発明の技術的範囲に含まれる。  
（１）上記実施形態では支持部に端子収容部の前端面と対向する板状部を形成し、この板状部から規制部を突出させたが、このような板状部を形成せず、前側筒状部の前端部から後方へ延出する延出部の後端部から、端子収容部の前端面に沿うように枠状部を延出させ、この枠状部から規制部を突出させてもよい。  
（２）上記実施形態では支持部がアライメントプレートの機能を有するようにしたが、支持部とは別に、タブを位置決めするための専用のアライメントプレートを設けてもよい。  
（３）上記実施形態では支持部が保護部の内周面に対して摺接するようにしたが、支持部と保護部とが非接触であってもよい。  
（４）上記実施形態では上側のアーム状延出部の数を２本としたが、アーム状延出部の数は１本でも、３本以上でもよい。  
（５）上記実施形態では上側のアーム状延出部と下側の板状延出部とを互いに異なる形態としたが、上がの延出部と下側の延出部は互いに対称な形態であってもよい。  
（６）上記実施形態では方形をなす板状部を互いに反対側に位置する２辺（上縁部と下縁部）において延出部に繋げたが、板状部は、４辺のうち１辺のみにおいて延出部に繋げてもよく、３辺で延出部に繋げてもよく、４辺全てにおいて延出部に繋げてもよい。
【図面の簡単な説明】
【００４４】
【図１】実施形態１のコネクタの断面図
【図２】コネクタの正面図
【図３】コネクタの水平断面図
【図４】相手側コネクタを嵌合した状態をあらわす縦断面図
【図５】相手側コネクタを嵌合した状態をあらわす正面図
【図６】フレームの正面図
【図７】フレームの背面図
【図８】フレームの側面図
【図９】フレームの縦断面図
【図１０】図６のＡ−Ａ線断面図
【図１１】図６のＢ−Ｂ−線断面図
【図１２】ハウジングの正面図
【図１３】ハウジングの縦断面図
【図１４】図１２のＣ−Ｃ線断面図
【符号の説明】
【００４５】
Ｍ…雄コネクタ（コネクタ）
Ｆ…雌コネクタ（相手側コネクタ）
１０…フレーム
１１…前側筒状部
１２…後側筒状部
１６…支持部
１７…板状部
１８…位置決め孔
１９，２０…規制部
２１…アーム状延出部（延出部）
２２…第１ガイド面
２４，２８…進入空間
２５…板状延出部（延出部）
２６…第２ガイド面
４０…ハウジング
４１…端子収容部
４２…保護部
４５…ランス
５０…雄端子金具
５１…端子本体
５２…タブ
５３…電線
【図１】
0004941388.tif 000002
【図２】
0004941388.tif 000003
【図３】
0004941388.tif 000004
【図４】
0004941388.tif 000005
【図５】
0004941388.tif 000006
【図６】
0004941388.tif 000007
【図７】
0004941388.tif 000008
【図８】
0004941388.tif 000009
【図９】
0004941388.tif 000010
【図１０】
0004941388.tif 000011
【図１１】
0004941388.tif 000012
【図１２】
0004941388.tif 000013
【図１３】
0004941388.tif 000014
【図１４】
0004941388.tif 000015